(57)【要約】【課題】  省エネルギー発電機セットを提供する。【解決手段】  発電機、機械エネルギー発生装置、分電盤、制御スイッチからなる省エネルギー発電機セットであって、該発電機内部には蓄電池を備え、発電機セットを起動し、該機械エネルギー発生装置は該発電機セット内部に設置し、カット磁力コイルを通して高圧電源を発生し、該分電盤は該発電機セットに設置し、該発電機セットが発する該高圧電源を三部分に分け、一部は該機械エネルギー発生装置に供給し発電に使用し、一部は該蓄電池に蓄電し、残りの部分は出力インターフェースに転送し、外界の電器製品に供給し使用に供し、該制御スイッチは該機械エネルギー発生装置の起動を制御し、該蓄電池の充電完了後、該出力インターフェース上に導入する。充電形式で自動車、船、飛行機に設置可能で、省エネルギー効果を達成することができる。【選択図】  図１
2009171677.tif 000002
【特許請求の範囲】
【請求項１】
主に省エネルギー発電機セットは少なくとも発電機、機械エネルギー発生装置、分電盤、制御スイッチを含み、
該発電機内部には蓄電池を備え、該発電機セットを起動し、
該機械エネルギー発生装置は該発電機セット内部に設置し、カット磁力コイルを通して高圧電源を発生し、
該分電盤は該発電機セットに設置し、該発電機セットが発する該高圧電源を三部分に分け、一部は該機械エネルギー発生装置に供給し発電に使用し、一部は該蓄電池に蓄電し、残りの部分は出力インターフェースに転送し、外界の電器製品に供給し使用に供し、
該制御スイッチは該機械エネルギー発生装置の起動制御を担当し、該蓄電池の充電完了後該出力インターフェースに導入することを特徴とする省エネルギー発電機セット。
【請求項２】
前記カット磁力コイルは電力を発生し、該発電機セットの運転を連動し、該高圧電源を発生させることを特徴とする請求項１記載の省エネルギー発電機セット。
【請求項３】
前記蓄電池は鉛蓄電池、リチウム電池或いは燃料電池であることを特徴とする請求項１記載の省エネルギー発電機セット。
【請求項４】
前記発電機内にはさらにコンバーターを含み、該機械エネルギー発生装置が発生する高圧電源を直流電源に転換し、さらに該分電盤と連接することを特徴とする請求項１記載の省エネルギー発電機セット。
【請求項５】
前記機械エネルギー発生装置は自然界の風力を利用し運転可能であることを特徴とする請求項１記載の省エネルギー発電機セット。
【請求項６】
前記機械エネルギー発生装置は自然界の太陽エネルギーを利用し運転可能であることを特徴とする請求項１記載の省エネルギー発電機セット。
【請求項７】
前記機械エネルギー発生装置は自然界の温度差を利用し運転可能であることを特徴とする請求項１記載の省エネルギー発電機セット。
【請求項８】
前記機械エネルギー発生装置は自然界の潮流を利用し運転可能であることを特徴とする請求項１記載の省エネルギー発電機セット。
【請求項９】
前記機械エネルギー発生装置はモーター上に設置し、エネルギー充電の機能と効果を達成可能であることを特徴とする請求項１記載の省エネルギー発電機セット。
【請求項１０】
前記機械エネルギー発生装置は自動車、船或いは飛行機に設置可能であることを特徴とする請求項１記載の省エネルギー発電機セット。
【発明の詳細な説明】
【技術分野】
【０００１】
本発明は一種の発電機セットに関し、特に、一種の省エネルギー発電機セットに関する。
【背景技術】
【０００２】
環境保護意識の高まりに従い、科学技術先進国では代替発電ソリューションの研究が盛んに進められている。内、代表的なものとして太陽エネルギー、燃料電池或いは風力発電があるが、これらはすべて、これまでの「エネルギー集中生産」発電方式とは異なり、「分散式発電」方式を採り、エネルギー界の新寵児となっている。さらに石油価格の高騰という問題もあり、重心をグリーンエネルギー経営に移すことが、地球全体の発展目標ともなっている。
伝統的な「ガスマイクロタービン発電機」は一台当たりの価格が13万スイスフラン(約7.7万米ドルに相当)し、一般のディーゼル或いはガス火力発電機の価格に相当する。運転原理は共に転動軸を直接連動し、電力を発生するものである。しかし、該発電機セットは非常に高価でありながら、利益が限られ、使用年数にも制限がある。しかも、該発電機セットの運転を維持するためには大量の人力及び資源が必要で、コストも非常に高く、環境保護、省エネルギーが重視される将来において、欠点となることは疑いはない。
また、一般の伝統的火力発電機の規模は消費者規模に基づき必要な熱エネルギーを見積もり決定するが、余剰電力は、供電設備中に送られ貯蔵される。しかし、貯蔵施設の老朽化で電力がいつの間にか消耗してしまうという状況がしばしば発生しており、非常に惜しい。
上記公知技術の欠点に鑑み、本発明は省エネルギー発電機セットを提供し、公知技術中に存在する欠点を解決する。
【特許文献１】特開２０００−４１３３６号公報
【特許文献２】特開平１１−２９９１０６号公報
【発明の開示】
【発明が解決しようとする課題】
【０００３】
本発明が解決しようとする主な課題は、省エネルギー発電機セットを提供し、発電機セットを通して高圧電源を発生し、蓄電池に充電し、出力インターフェースに電力を出力し、余剰高圧電源は機械エネルギー発生装置に供給され発電運転に使用され、蓄電池を通して起動後は自ら循環する高圧電源を発生し、省エネによる環境保護の目的を達成し、
本発明が解決しようとする次なる課題は、省エネルギー発電機セットを提供し、磁力線をコイルが横切る(カット)ことによる発電原理により電力を発生し、より大きな高圧電源を発生して外部の使用に供給し、こうして電力供給の機能と効果を達成する。
【課題を解決するための手段】
【０００４】
上記課題を解決するため、本発明は下記の省エネルギー発電機セットを提供する。
それは主に充電形式で設置し、自動車、船、飛行機に設置可能で、省エネルギー効果を達成することができ、発電機、機械エネルギー発生装置、分電盤、制御スイッチを含み、該発電機内部には蓄電池を備え、発電機セットを起動し、該機械エネルギー発生装置は該発電機セット内部に設置し、回転・移動する(カット)磁力コイルを通して高圧電源を発生し、該分電盤は該発電機セットに設置し、該発電機セットが発する該高圧電源を三部分に分け、一部は該機械エネルギー発生装置に供給し発電に使用し、一部は該蓄電池に蓄電し、残りの部分は出力インターフェースに転送し、外界の電器製品に供給し使用に供し、該制御スイッチは該機械エネルギー発生装置の起動を制御し、該蓄電池の充電完了後該出力インターフェース上に導入する。こうして、省エネルギー効果を達成し、構造は簡単で、安定性が高い。
【発明の効果】
【０００５】
上記のように、本発明の省エネルギー発電機セットは、発電機セットが発する高圧電源を三部分に分け、一部は機械エネルギー発生装置に供給し発電に使用し、一部は蓄電池に蓄電し、残りの部分は出力インターフェースに転送し、外界の電器製品に供給し使用に供することができる。しかも、制御スイッチは機械エネルギー発生装置の起動を制御し、蓄電池の充電完了後、出力インターフェース上に導入し、充電形式で設置し、自動車、船、飛行機に設置可能で、省エネルギー効果を達成することができる。また本発明は構造が簡単で、安定性も高い。
【発明を実施するための最良の形態】
【０００６】
以下に具体的実施例に図式を付し、本発明の目的、技術内容、特徴とそれが達成する機能と効果について?明する。
本発明省エネルギー発電機セットのブロックチャートと本発明省エネルギー発電機セットの立体図である図１、２に示すように、発電機10内部には蓄電池101を設置し、該発電機10の起動に用いる。機械エネルギー発生装置102は該発電機10内部に設置し、該機械エネルギー発生装置102内部のカット磁力コイルの運転を通して高圧電源を発生することができ、コンバーター103を通して、該機械エネルギー発生装置102が発生する高圧電源を直流電源に転換し、該機械エネルギー発生装置102が発生する高圧電源を分電盤104上に転換伝送する。
【０００７】
該分電盤104を経て高圧電源は３部分に分けられ、一部は該機械エネルギー発生装置102(外部からの回転力付与による)に伝送され発電を継続し高圧電源を発生し、一部は該蓄電池101に充電され、残りの他の部分は出力インターフェース105上に導入される。こうして電源を外界の電気製品に供給し使用に供することができる。
該蓄電池101内部の電気エネルギーが一杯になると、制御スイッチ106の制御を経て、高圧電源は該出力インターフェース105上に導入される。
こうして、該発電機10は休むことなく高圧電源を発生し、磁力線をコイルが回転等で横切ることによりカット磁力コイル内部での発生電力を通して、該機械エネルギー発生装置102が発生する高圧電源は拡大される。しかも、該機械エネルギー発生装置102が発生する高圧電気エネルギーは、該発電機10の起動運転に必要なエネルギーよりはるかに大きいため、こうして尽きることがなく使用する目的を達成する。
該機械エネルギー発生装置102はモーター上に設置し、該モーターには蓄電池101の電力の１部が供給され、該機械エネルギー発生装置102の動力も重なって休むことなく高圧電源を発生し、エネルギー充電の機能と効果を達成可能である。
【０００８】
該蓄電池101は鉛蓄電池、リチウム電池或いは燃料電池等の蓄電ユニットで、しかも、該機械エネルギー発生装置102は、自然界の風力、太陽エネルギー、温度差及び潮流を利用した運転で、例えば、機械的な回転運動は前後運動による運動をカット磁力コイルを付与して、永久磁石による磁力線を該カット磁力コイルが横切(カット)って回転や移動するコイルの内部に電力を発生させ、こうして省エネルギーの機能と効果を達成することができる。
また、該発電機10は無限に大きく製造することができ、工場、都市での使用に供給することができる。また縮小も10〜20センチ前後まで可能で、この場合には個人の使用に供することができる。こうして充電形式で設置し、自動車、船、飛行機に設置可能で、省エネルギー効果を達成することができる。
上記のように、本発明は公知の技術構造の欠点を打破し、増進しようとする機能と効果を確実に達成することができる。
上記記載の実施例は本発明の技術思想と特徴を説明するために過ぎず、その目的は当該技術を熟知する者が本発明の内容を理解し、これに基づき実施可能とするためで、本発明の申請範囲を限定するものではない。本発明が?示する精神に基づき行われるすべての均等変化或いは修飾は本発明の保護範囲に含まれるものとする。
【図面の簡単な説明】
【０００９】
【図１】本発明の省エネルギー発電機セットのブロックチャートである。
【図２】本発明の省エネルギー発電機セットの立体図である。
【符号の説明】
【００１０】
10  発電機
11  蓄電池
102  機械エネルギー発生装置
103  コンバーター
104  分電盤
105  出力インターフェース
106  制御スイッチ
【図１】
2009171677.tif 000003
【図２】
2009171677.tif 000004